(57)【要約】【課題】薄型化と外径の小型化と部品点数削減と組立工程の簡素化が図れる電子部品を提供する。【解決手段】円周上の複数の位置にスイッチ部４３を設置してなるスイッチ設置部材５０と、各スイッチ部４３に対向する位置にスイッチ押圧部１１９を設けた本体部１１１と、本体部１１１を揺動自在に保持した状態でスイッチ設置部材５０に取り付けられる支持部１１３とを有するケース１１０と、本体部１１１の上面側に設置される操作つまみ１７０と、スイッチ設置部材５０とケース１１０の間に設置される検出手段（摺動子板８０と摺接パターン３７）とを具備する。スイッチ押圧部１１９はケース１１０の本体部１１１の外周付近に設けられる。支持部１１３は、本体部１１１の外周から外方に向けて突出する可撓性を有するヒンジ部１２１と、ヒンジ部１２１の中央位置に設けられるスイッチ設置部材５０への取付部１２３とを有して構成される。【選択図】図３
2015064985.tif 000002
【特許請求の範囲】
【請求項１】
円周上の複数の位置にスイッチ部を設置してなるスイッチ設置部材と、
前記スイッチ設置部材上に設置され、前記各スイッチ部に対向する位置にスイッチ押圧部を設けた本体部と、前記本体部を揺動自在に保持した状態で前記スイッチ設置部材に取り付ける支持部とを有するケースと、
前記ケースの本体部の上面側に回転自在に設置される操作つまみと、
前記スイッチ設置部材と前記ケースの間に設置され、前記操作つまみの回転に応じて出力信号を変化させる検出手段と、を具備し、
前記スイッチ押圧部は、前記ケースの本体部の外周付近に設けられるとともに、
前記ケースの支持部は、前記本体部の外周から外方に向けて突出する可撓性を有するヒンジ部と、このヒンジ部の所定位置に設けられる前記スイッチ設置部材への取付部とを有して構成されていることを特徴とする電子部品。
【請求項２】
請求項１に記載の電子部品であって、
前記ケースの支持部は、前記複数のスイッチ押圧部の間に位置し、屈曲形状を有するヒンジ部の両端を前記ケースの本体部の外周に接続すると共に、前記ヒンジ部の中間部分の下面に前記スイッチ設置部材への取付部を設けて構成されていることを特徴とする電子部品。
【請求項３】
請求項１に記載の電子部品であって、
前記ケースの支持部は、前記複数のスイッチ押圧部の間に位置し、１本のヒンジ部の一端を前記ケースの本体部の外周に接続すると共に、他端側の下面に前記スイッチ設置部材への取付部を設けて構成されていることを特徴とする電子部品。
【請求項４】
請求項１又は２又は３に記載の電子部品であって、
前記ケースのスイッチ押圧部は、前記操作つまみの外周下部に位置し、
前記ケースの支持部の取付部は、前記操作つまみの外周よりも外方に位置することを特徴とする電子部品。
【発明の詳細な説明】
【技術分野】
【０００１】
本発明は、回転式電子部品の機能と揺動式スイッチの機能を併せ持つ電子部品に関するものである。
【背景技術】
【０００２】
従来、電子部品の中には、操作つまみを回転することによって検出信号を変化させる回転式電子部品としての機能と、前記操作つまみの上面の周囲を押圧することで操作つまみを揺動させて下降した側の押圧スイッチをオンさせる揺動式スイッチとしての機能とを兼ね備えた電子部品が利用されている。
【０００３】
たとえば上記機能を有する特許文献１に示す電子部品（１）は、保持カバー（２０）によって揺動自在に設置された取付台（６０）の下面側にリング状に複数の押圧スイッチ（３５）を設置し、一方、取付台（６０）の上面側に摺動子板（１１０）や摺接パターン（４５）等からなる検出手段と前記摺動子板（１１０）を回転操作する操作つまみ（２１０）等を設置して構成されている。これによって、操作つまみ（２１０）を回転することで検出手段の検出信号を変化させ、一方操作つまみ（２１０）の上面の周囲を押圧することで操作つまみ（２１０）を揺動して下降した側の真下の押圧スイッチ（３５）をオンさせることができる。
【先行技術文献】
【特許文献】
【０００４】
【特許文献１】特開２０１３−４１７２７号公報
【発明の概要】
【発明が解決しようとする課題】
【０００５】
しかしながら上記従来例には、以下のような問題点があった。
（１）取付台（６０）の下側に押圧スイッチ（３５）等を設置し、取付台（６０）の上側に摺動子板（１１０）や摺接パターン（４５）等からなる検出手段を設置する２階建て構造なので、電子部品の厚みの薄型化が図れない。
【０００６】
（２）取付台（６０）を揺動自在に支持する保持カバー（２０）が、取付台（６０）の周囲全体を囲むように設置されているので、電子部品の外径の小型化が図れない。
【０００７】
（３）取付台（６０）を揺動自在に支持するために、保持カバー（２０）を設置しているので、部品点数の削減が図れない。
【０００８】
（４）取付台（６０）の上下にそれぞれ、摺動子（１１０）が摺接する摺接パターン（４５）を形成する第１回路基板（４１）と、押圧スイッチ（３５）を設置する第２回路基板（３１）とを設置しなければならないので、組立工程が煩雑になるばかりか、部品点数が増大する。
【０００９】
本発明は上述の点に鑑みてなされたものでありその目的は、厚みの薄型化と、外径の小型化が図れるばかりか、部品点数の削減と組立工程の簡素化も図れる電子部品を提供することにある。
【課題を解決するための手段】
【００１０】
本発明は、円周上の複数の位置にスイッチ部を設置してなるスイッチ設置部材と、前記スイッチ設置部材上に設置され、前記各スイッチ部に対向する位置にスイッチ押圧部を設けた本体部と、前記本体部を揺動自在に保持した状態で前記スイッチ設置部材に取り付ける支持部とを有するケースと、前記ケースの本体部の上面側に回転自在に設置される操作つまみと、前記スイッチ設置部材と前記ケースの間に設置され、前記操作つまみの回転に応じて出力信号を変化させる検出手段と、を具備し、前記スイッチ押圧部は、前記ケースの本体部の外周付近に設けられるとともに、前記ケースの支持部は、前記本体部の外周から外方に向けて突出する可撓性を有するヒンジ部と、このヒンジ部の所定位置に設けられる前記スイッチ設置部材への取付部とを有して構成されていることを特徴とする電子部品にある。
本発明によれば、スイッチ部を設置したスイッチ設置部材上に検出手段を設置したので、つまりスイッチ部と検出手段とを同一面上に設置したので、電子部品の上下方向の厚みを薄く構成することができる。またケース自体に支持部を設けてケースの本体部を揺動自在に保持するので、ケースを揺動自在に保持するための別部品を設置する必要がなくなり、部品点数が削減できると同時に組立も簡素化される。またケースの本体部の外周付近から外方に突出するのは、主として支持部だけなので、外径の小型化も図れる。
【００１１】
また本発明は、前記ケースの支持部が、前記複数のスイッチ押圧部の間に位置し、屈曲形状を有するヒンジ部の両端を前記ケースの本体部の外周に接続すると共に、前記ヒンジ部の中間部分の下面に前記スイッチ設置部材への取付部を設けて構成されていることを特徴としている。
ケースの支持部を複数のスイッチ押圧部の間に位置させたので、スイッチ押圧部に対向して設置されるスイッチ部と支持部が干渉することを防止できる。このため支持部と干渉することなく、スイッチ部を半径方向外方に設置することができ、操作つまみを揺動したときの操作の安定性（操作性）を良好にできる（スイッチ部の位置が揺動中心に近いと、操作つまみの少しの揺動方向の違いによって、スムーズに所望のスイッチ部がオンできなくなったり、誤って隣のスイッチ部をオンさせたりし、操作の安定性が損なわれる）。この効果は、スイッチ部の上に反転板を設置している場合に特に大きくなる（反転板の面積は大きいので）。また支持部がスイッチ部と干渉しないので、その分支持部の設置位置を低くでき、電子部品の薄型化が図れる。
また屈曲形状を有するヒンジ部の両端をケースの本体部の外周に接続した構成なので、１つの支持部で本体部を２箇所ずつ支持でき、ケースの本体部を比較的硬く（可撓性を少なくして）安定して支持でき、あまり弱い力ではスイッチ部が動作しないように構成できる。
【００１２】
また本発明は、前記ケースの支持部が、前記複数のスイッチ押圧部の間に位置し、１本のヒンジ部の一端を前記ケースの本体部の外周に接続すると共に、他端側の下面に前記スイッチ設置部材への取付部を設けて構成されていることを特徴としている。
この発明の場合も、ケースの支持部を複数のスイッチ押圧部の間に位置させたので、スイッチ部と支持部が干渉することを防止でき、操作つまみを揺動したときの操作の安定性（操作性）を良好にでき、さらに支持部の設置位置を低くできて電子部品の薄型化が図れる。
また支持部を、１本のヒンジ部の先端側に取付部を設ける構成としたので、隣接する支持部間の間隔を広くでき、それらの間に設置するスイッチ押圧部やスイッチ部の設置をスペース的にさらに余裕を持って行えるようになる。このことは特に電子部品を小型化した場合に有効である。
【００１３】
また本発明は、前記ケースのスイッチ押圧部が、前記操作つまみの外周下部に位置し、前記ケースの支持部の取付部が、前記操作つまみの外周よりも外方に位置することを特徴としている。
スイッチ押圧部を操作つまみの外周下部に設置したので、電子部品を真上から見て、操作つまみの外方に突出するのは主としてケースの支持部のみとなり、実質的な電子部品の外径寸法を操作つまみの外径寸法と略同一に維持できる。また支持部の取付部は操作つまみよりも外方に位置するので、取付部のスイッチ設置部材への取り付けは操作つまみ等に阻害されることなく、容易に行える。
【発明の効果】
【００１４】
本発明によれば、電子部品の厚みの薄型化と、外径の小型化が図れ、さらに部品点数の削減と組立工程の簡素化を図ることができる。
【図面の簡単な説明】
【００１５】
【図１】電子部品１の斜視図である。
【図２】電子部品１の断面図（図１のＡ−Ａ断面図）である。
【図３】電子部品１の分解斜視図である。
【図４】電子部品１を下側から見た分解斜視図である。
【図５】電子部品１−２の斜視図である。
【図６】ケース１１０−２の斜視図である。
【発明を実施するための形態】
【００１６】
以下、本発明の実施形態を図面を参照して詳細に説明する。図１は本発明の第一実施形態にかかる電子部品１の斜視図、図２は電子部品１の断面図（図１のＡ−Ａ断面図）、図３は電子部品１の分解斜視図、図４は電子部品１を下側から見た分解斜視図である。なお以下の説明において、「上」とは下記するスイッチ部４３から、下記する操作つまみ１７０を見る方向をいい、「下」とはその反対方向をいうものとする。
【００１７】
これらの図に示すように電子部品１は、取付板１０上に、回路基板（以下「フレキシブル回路基板」という）３０と、押圧スイッチ保持部材６０と、摺動子板８０及びクリック板９０と、ケース１１０と、押釦つまみ１５０と、操作つまみ１７０とを設置して構成されている。取付板１０とフレキシブル回路基板３０によってスイッチ設置部材５０が構成されている。この電子部品１は、操作つまみ１７０を回転することで操作する回転式電子部品としての機能と、押釦つまみ１５０を押圧することで操作する押圧式電子部品としての機能と、操作つまみ１７０を多方向に揺動して揺動した側のスイッチをオンする揺動式スイッチの機能を併せ持つものである。
【００１８】
取付板１０は硬質板で構成され、この例では金属板を用いているが、合成樹脂板等の他の材質のものを用いても良い。取付板１０は少なくともケース１１０を載置する寸法形状に形成され、下記するケース１１０の各取付部１２３（４つ）に対向する位置に貫通孔からなるケース取付部１１を設け、また下記する押圧スイッチ保持部材６０の各取付部６７（２つ）に対向する位置に貫通孔からなる保持部取付部１３を設けて構成されている。
【００１９】
フレキシブル回路基板３０は可撓性を有する合成樹脂フィルム上に回路パターンを設けて構成されており、この例ではＰＥＴ（ポリエチレンテレフタレート）フィルムを用いているが、他の各種熱可塑性、熱硬化性、光硬化性の合成樹脂フィルムを用いて構成しても良い。フレキシブル回路基板３０の、前記取付板１０の各ケース取付部１１と各保持部取付部１３に対向する位置には、フレキシブル回路基板３０を貫通するケース取付部３１と保持部取付部３３が同様に形成されている。フレキシブル回路基板３０の上面中央（一対の保持部取付部３３の間の位置）には、押圧式スイッチ用のスイッチ部３５が設置され、このスイッチ部３５の周囲にはこれを囲むように、回転式スイッチ用の摺接パターン３７が形成され、さらにその外側を囲む円周上の位置には等間隔に複数（４つ）の揺動式スイッチ用のスイッチ部４３が設置されている。スイッチ部３５とスイッチ部４３は、図示しない一対のスイッチ接点上に弾性金属板をドーム形状に形成してなる反転板（この例では可動接点板）３６又は４５を取り付けて構成されており、反転板３６又は４５を押圧してこれを反転することでスイッチがオンする構造になっている。摺接パターン３７は、内側のリング状のコモンパターン３７ａと、外側の一対のスイッチオンオフパターン３７ｂとを具備して構成されており、両パターン３７ａ，３７ｂ上を下記する摺動子板８０の摺動接点８７が同時に摺動することで、両パターン３７ａ，３７ｂ間のオンオフ状態が変化する。
【００２０】
押圧スイッチ保持部材６０は合成樹脂の成形品であり、下面に円形の反転板収納凹部６１を設け、上面に突部６３を設け、突部６３の中央に上下に貫通する非円形の押圧部挿通部６５を設け、さらに下面の外周の１８０°対向する位置に下方向に突出する小突起からなる一対の取付部６７を設けて構成されている。取付部６７は、前記フレキシブル回路基板３０と取付板１０にそれぞれ設けた保持部取付部１３，３３に挿入される寸法形状に形成されている。
【００２１】
摺動子板８０は弾性金属板製であり、略円形の平板リング状に形成され、中央に開口８１を設けると共に、等間隔（１２０°間隔）の３か所の位置に小孔からなる取付固定部８３を設け、また各取付固定部８３の側部から３本ずつの摺動冊子８５を摺動子板８０の開口８１の周囲を囲むように配置して構成されている。各組の摺動冊子８５の先端近傍部分には摺動接点８７が設けられている。
【００２２】
クリック板９０は弾性金属板製であり、リング形状に形成され中央に開口９３を有する基部９１と、基部９１の外周の１８０°対向する位置から突出する略矩形状のアーム基部９５と、これらアーム基部９５の両側部にそれぞれ両端部が連結される半円弧状の一対のアーム部９７，９７とを具備して構成されている。基部９１の外径寸法は、摺動子板８０の外径寸法と略同一であり、摺動子板８０の各取付固定部８３に対向する位置（等間隔の３か所の位置）と、これらに隣接する位置の６か所に小孔からなる被取付部９９を設けている。一方各アーム部９７は両端の根元部分で折り曲げられて上方向に傾斜している。各アーム部９７の中央には上方向に凸となるように略円弧状に湾曲する弾接部１０１が形成されている。
【００２３】
ケース１１０は合成樹脂の成形品であり、略リング形状の本体部１１１と、本体部１１１の外周から等間隔に半径方向外方に向けて突出する複数（４つ）の支持部１１３とを具備して構成されている。本体部１１１の中央には、下記する操作つまみ１７０の軸部１７７を回動自在に挿入する上下に貫通する円形の軸支孔１１５が形成されている。本体部１１１の下面の軸支孔１１５の周囲には、前記クリック板９０の弾接部１０１を弾接させる多数の凹凸からなるリング状のクリック弾接部１１７が設けられている。本体部１１１の上面の外周近傍位置には、リング状に突出する操作つまみ当接部１２９が形成されている。また本体部１１１の外周付近の前記各スイッチ部４３に対向する位置（４か所）には、スイッチ押圧部１１９が形成されている。
【００２４】
前記支持部１１３は、前記複数のスイッチ押圧部１１９の間に位置し、本体部１１１の外周から外方に向けて突出する可撓性を有するヒンジ部１２１と、このヒンジ部１２１の所定位置に設けられる取付部１２３とを有して構成されている。ヒンジ部１２１は屈曲形状（コ字形状）であって上下方向に可撓性を有するように薄板状に形成され、その両端を前記ケース１１０の本体部１１１の外周に接続している。取付部１２３はヒンジ部１２１の中間部分の下面に設けられ、フレキシブル回路基板３０のケース取付部３１と取付板１０のケース取付部１１に挿入できる位置、寸法に形成されている。スイッチ押圧部１１９は、本体部１１１の外周から少し突出する突出部１２５の下面に押圧部１２７を設けて構成されている。
【００２５】
押釦つまみ１５０は合成樹脂の成形品であり、略円板状の押釦部１５１と、押釦部１５１の下面中央から突出する柱状の押圧部１５３とを具備して構成されている。押釦部１５１の外周には薄板リング状のつば部１５５が設けられている。また押圧部１５３の外周面には、上下方向に向かう突条からなる回り止め係合部１５７が設けられ、これによって前記押圧スイッチ保持部材６０の押圧部挿通部６５に押圧部１５３が回転することなく上下動自在に挿入される。
【００２６】
操作つまみ１７０は合成樹脂の成形品であり、略円板状のつまみ本体部１７１の外周から下方向に向けて筒状に側壁部１７３を突出して構成されている。つまみ本体部１７１の中央には上下に貫通して前記押釦つまみ１５０の押釦部１５１（つば部１５５を除く）を挿入する内径寸法の円形の開口１７５が設けられ、またつまみ本体部１７１の下面の開口１７５の周囲には下方向に突出する筒状の軸部１７７が設けられている。軸部１７７の外径寸法は、前記ケース１１０の軸支孔１１５に挿入されて回動自在に軸支される寸法である。軸部１７７の下端辺の所定位置からは２本ずつで３組、下方向に向かって突出する小突起からなる固定部１７９が設けられている。これら固定部１７９は前記クリック板９０の各被取付部９９に対向する位置に設けられている。
【００２７】
次に電子部品１の組立方法を説明する。まず予め、取付板１０の上にフレキシブル回路基板３０を載置し、その上に押圧スイッチ保持部材６０を載置する。このとき押圧スイッチ保持部材６０の各取付部６７をフレキシブル回路基板３０の各保持部取付部３３と取付板１０の各保持部取付部１３に挿入し、各取付部６７の先端を取付板１０の下面で熱カシメする。
【００２８】
そして操作つまみ１７０の下側からその開口１７５に押釦つまみ１５０の押釦部１５１を挿入し、次にその下側にケース１１０を配置する。このとき、操作つまみ１７０の軸部１７７がケース１１０の軸支孔１１５に回動自在に挿入される。次にその下側にクリック板９０と摺動子板８０を配置する。このとき操作つまみ１７０の各固定部１７９がクリック板９０の各被取付部９９と摺動子板８０の各取付固定部８３に挿入される。そして各固定部１７９の先端を摺動子板８０とクリック板９０の下面側で熱カシメする。これによって操作つまみ１７０とクリック板９０及び摺動子板８０は、ケース１１０に対してその上下を挟持するように、回動自在に取り付けられる。
【００２９】
次に、ケース１１０の下面側に、前記押圧スイッチ保持部材６０を取り付けたフレキシブル回路基板３０及び取付板１０を配置する。その際、押圧スイッチ保持部材６０の押圧部挿通部６５に押釦つまみ１５０の押圧部１５３を挿入し、さらにケース１１０の各取付部１２３をフレキシブル回路基板３０のケース取付部３１と取付板１０のケース取付部１１に挿入する。そして各取付部１２３の先端を取付板１０の下面で熱カシメする。これによって電子部品１の組み立てが完了する。なお上記組立手順はその一例であり、他の各種異なる組立手順を用いて組み立てても良いことはいうまでもない。
【００３０】
以上のようにして構成された電子部品１は、図２に示すように、押釦つまみ１５０の押圧部１５３の下面（先端面）が、スイッチ部３５を構成する反転板３６の中央位置に対向（当接）している。またケース１１０の各スイッチ押圧部１１９（その押圧部１２７）の下面は、各スイッチ部４３を構成する反転板４５の中央位置に対向（当接）している。また摺動子板８０の摺動接点８７はフレキシブル回路基板３０の摺接パターン３７上を摺動する位置にある。またケース１１０のスイッチ押圧部１１９は操作つまみ１７０の外周下部に位置し、下記するように、スイッチ押圧部１１９の上方に位置する操作つまみ当接部１２９に当接する操作つまみ１７０によって押圧されて下降する。またクリック板９０の弾接部１０１（図４参照）はケース１１０のクリック弾接部１１７に弾接している。またケース１１０の本体部１１１の上面側に操作つまみ１７０が回転自在に設置され、ケース１１０の操作つまみ当接部１２９に操作つまみ１７０の側壁部１７３の下面が当接している。また摺動子板８０と摺接パターン３７とで構成される検出手段がスイッチ設置部材５０とケース１１０の間に設置されている。またスイッチ押圧部１１９の突出した外周面（突出部１２５の外周面）は、図２に示すように、操作つまみ１７０の外周面と略同じ位置に位置している。
【００３１】
さらにケース１１０の本体部１１１は、ケース１１０の支持部１１３をフレキシブル回路基板３０及び取付板１０に取り付けることで、揺動自在に保持されている。またケース１１０の支持部１１３の取付部１２３は、図１に示すように、操作つまみ１７０の外周よりも外方に位置している。
【００３２】
そして押釦つまみ１５０の押釦部１５１を押圧すれば、押圧部１５３が反転板３６を押圧して反転し、スイッチ部３５がオンする。押釦部１５１への押圧を解除すれば反転板３６はその弾性復帰力によって元の形状に自動復帰してスイッチ部３５がオフし、押釦つまみ１５０は元の位置に自動復帰する。
【００３３】
一方操作つまみ１７０を回転すれば、操作つまみ１７０と一体に摺動子板８０とクリック板９０が回転し、これによって、摺動子板８０の摺動接点８７が摺接パターン３７上を摺動して摺接パターン３７の検出出力が変化する。同時にクリック板９０の弾接部１０１がケース１１０のクリック弾接部１１７に弾接係合してクリック感触が得られる。即ち摺動子板８０と摺接パターン３７によって回転式電子部品の出力を取り出す検出手段が構成されており、一方クリック板９０とクリック弾接部１１７によってクリック機構が構成されている。
【００３４】
また操作つまみ１７０の上面周囲の前記ケース１１０の何れかのスイッチ押圧部１１９に対応する部分を押圧すれば、操作つまみ１７０と共にケース１１０の本体部１１１が押圧された方向に傾いて揺動し、下降した側のスイッチ押圧部１１９（押圧部１２７）が対向するスイッチ部４３の反転板４５を押圧してこれを反転し、スイッチ部４３がオンする。操作つまみ１７０への押圧を解除すると、反転板４５はその弾性復帰力によって元の形状に自動復帰してスイッチ部４３がオフし、操作つまみ１７０は元の位置に自動復帰する。
【００３５】
そして上記電子部品１によれば、スイッチ部４３を設置したスイッチ設置部材５０上に検出手段（摺動子板８０と摺接パターン３７）を設置したので、つまりスイッチ部４３と検出手段とを上下位置に設置しないで同一面上に設置したので、電子部品１の上下方向の厚みを薄く構成することができる。またケース１１０自体に支持部１１３を設けてケース１１０の本体部１１１を揺動自在に保持するので、ケース１１０を揺動自在に保持するための別部品を用意する必要がなく、部品点数が削減できると同時に組立も簡素化される。またケース１１０の本体部１１１の外周から外方に突出するのは、主として支持部１１３だけなので、外径の小型化も図れる。またスイッチ押圧部１１９を操作つまみ１７０の外周下部に設置したので、電子部品１を真上から見て、操作つまみ１７０の外方に突出するのは主としてケース１１０の支持部１１３のみとなり、実質的な電子部品１の外径寸法を操作つまみ１７０の外径寸法と略同一に維持できる。また支持部１１３の取付部１２３は操作つまみ１７０よりも外方に位置するので、取付部１２３のスイッチ設置部材５０への取り付けは操作つまみ１７０等に阻害されることなく、容易に行える。これらの効果は、下記する電子部品１−２においても同じである。
【００３６】
また上記電子部品１によれば、ケース１１０の支持部１１３を複数（４つ）のスイッチ押圧部１１９の間に位置させたので、スイッチ押圧部１１９に対向して設置されるスイッチ部４３と支持部１１３とが干渉することを防止できる。このため支持部１１３と干渉することなく、スイッチ部４３を半径方向外方に設置することができ、操作つまみ１７０を揺動したときの操作の安定性（操作性）を良好にできる（スイッチ部４３の位置が揺動中心に近いと、操作つまみ１７０の少しの揺動方向の違いによって、スムーズに所望のスイッチ部４３がオンできなくなったり、誤って隣のスイッチ部４３をオンさせたりし、操作の安定性が損なわれる）。この効果は、スイッチ部４３の上に反転板４５を設置している場合に特に大きくなる（反転板４５の面積が大きいから）。また支持部１１３がスイッチ部４３と干渉しないので、その分支持部１１３の設置位置を低くでき、電子部品１の薄型化が図れる。
【００３７】
また屈曲形状を有するヒンジ部１２１の両端をケース１１０の本体部１１１の外周に接続した構成なので、１つの支持部１１３で本体部１１１を２箇所ずつ支持でき、本体部１１１を比較的硬く（小さい可撓性で）安定して支持でき、あまり弱い力ではスイッチ部４３を動作させないように構成できる。
【００３８】
図５は、本発明の第二実施形態にかかる電子部品１−２の斜視図、図６はこの電子部品１−２に用いるケース１１０−２の斜視図である。同図に示す電子部品１−２において、前記図１〜図４に示す電子部品１と同一又は相当部分には同一符号を付す（但し各符号には「−２」を付す）。なお以下で説明する事項以外の事項については、前記図１〜図４に示す実施形態と同じである。
【００３９】
この電子部品１−２において、前記電子部品１と相違する点は、支持部１１３−２の形状のみである。即ちケース１１０−２の支持部１１３−２は、複数（４つ）のスイッチ押圧部１１９−２の間（中間）に位置し、１本のヒンジ部１２１−２の一端をケース１１０−２の本体部１１１−２の外周に接続すると共に、他端側の下面にスイッチ設置部材５０−２への取付部１２３−２を設けて構成されている。ヒンジ部１２１−２は直線状で、ケース１１０−２の外周から外方に向けて放射線状に突出している。
【００４０】
この電子部品１−２においても、押釦つまみ１５０−２の押釦部１５１−２を押圧することで、図示しないスイッチ部３５−２がオンする。一方操作つまみ１７０−２を回転すれば、図示しない摺動子板８０−２とクリック板９０−２が回転して摺接パターン３７−２の検出出力が変化すると同時にクリック感触が得られる。また操作つまみ１７０−２の上面の何れかのスイッチ押圧部１１９−２に対応する部分を押圧すれば、ヒンジ部１２１−２が撓むことで、操作つまみ１７０−２と共にケース１１０−２の本体部１１１−２が押圧された方向に傾いて揺動し、下降した側のスイッチ押圧部１１９−２が対向するスイッチ部４３−２の反転板４５−２を押圧してこれを反転し、スイッチ部４３−２がオンする。
【００４１】
この電子部品１−２のように、支持部１１３−２を１本のヒンジ部１２１−２の先端側に取付部１２３−２を設ける構成とすれば、隣接する支持部１１３−２間の間隔を電子部品１の場合に比べて更に広くでき、それらの間に設置するスイッチ押圧部１１９−２やその下側に位置するスイッチ部４３−２（反転板４５−２）の設置をスペース的にさらに余裕を持って行えるようになる。このことは特に電子部品１−２を小型化した場合に有効である。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、スイッチ設置部材としてフレキシブル回路基板３０及び取付板１０を用いたが、スイッチ設置部材は、硬質の回路基板のみで構成しても良い等、種々の変形が可能であり、要は円周上の複数の位置にスイッチ部を設置してなる構造であればどのような構造であってもよい。また操作つまみ１７０の軸支構造も種々の変形が可能である。また上記例では押釦つまみ１５０などによって押圧式電子部品を構成したが、押圧式電子部品は省略しても良い。また上記例では摺動子板８０と摺接パターン３７によって検出手段を構成したが、操作つまみ１７０の回転に応じて出力信号（電気的信号、磁気的信号、光学的信号）を変化させる検出手段であればよい。また上記ヒンジ部１２１−２は１本の直線状に形成したが、１本の曲線状に形成しても良い。
【００４３】
また上記電子部品１では、スイッチ部３５，４３を、一対のスイッチ接点上に反転板３６，４５を取り付けて構成したが、その代りに、２枚の合成樹脂フィルムを重ね合わせて両合成樹脂フィルムに設けた一対の接点パターンを隙間を介して対向させ、一方の合成樹脂フィルムに設けた接点パターンの裏面側に反転板を設置すること（但し反転板は必ずしも設置しなくても良い）で構成されるいわゆるメンブレンスイッチで構成しても良い。
【符号の説明】
【００４４】
１  電子部品
１０  取付板（スイッチ設置部材）
３０  フレキシブル回路基板（回路基板、スイッチ設置部材）
３７  摺接パターン（検出手段）
４３  スイッチ部
５０  スイッチ設置部材
６０  押圧スイッチ保持部材
８０  摺動子板（検出手段）
９０  クリック板
１１０  ケース
１１１  本体部
１１３  支持部
１５０  押釦つまみ
１７０  操作つまみ
１１９  スイッチ押圧部
１２１  ヒンジ部
１２３  取付部
【図１】
2015064985.tif 000003
【図２】
2015064985.tif 000004
【図３】
2015064985.tif 000005
【図４】
2015064985.tif 000006
【図５】
2015064985.tif 000007
【図６】
2015064985.tif 000008